(57)【要約】      （修正有）【課題】  運搬時に嵩張らず、設置状態では本体から突出しているアンテナ部品が充分な強度を持つ。【解決手段】  本体２内に先端部が本体２の外方を向くように第１エレメント２０ａ、２０ｂが設けられている。第２エレメント３９ａ、３９ｂの基端部がエレメントケース３４ａ、３４ｂの基端部に位置するようにエレメントケース３４ａ、３４ｂ内に第２エレメント３９ａ、３９ｂが収容されている。第２エレメント３９ａ、３９ｂの基端部が第１エレメント２０ａ、２０ｂの先端部と電気的に接続されるようにエレメントケース３２ａ、３２ｂの基端部が本体２内に挿入されている。本体２の下部から、本体２内にあるエレメントケース３２ａ、３２ｂの先端部にねじが挿通されている。【選択図】        図４
2005354265.tif 000002
【特許請求の範囲】
【請求項１】
本体と、
この本体内に、先端部が前記本体の外方を向くように設けられている第１エレメントと、
第１エレメントの先端部に電気的に基端部が接続された状態で所定周波数の電波を送受信する第２エレメントと、
第２エレメントの基端部が、基端部に位置するように内部に第２エレメントが収容され、第２エレメントの基端部が第１エレメントの先端部と電気的に接続される状態に、当該基端部が前記本体内に挿入されているエレメントケースと、
前記本体の外部から、前記本体内にある前記エレメントケースの先端部に挿通され、前記エレメントケースの前記本体の外方方向への移動を拘束する移動拘束手段とを、
具備するアンテナ。
【請求項２】
請求項１記載のアンテナにおいて、
前記エレメントケースの長さ方向の中途の周縁部に第１突状部を形成し、前記本体に前記エレメントケースの挿入口を設け、この挿入口に前記エレメントケースを挿入した状態で第１突状部に面接触する第２突状部が前記挿入口の周囲に形成されているアンテナ。
【請求項３】
請求項１記載のアンテナにおいて、前記エレメントケースは、上部と下部とに分割形成され、前記下部内には、第２エレメントの周囲を包囲する壁部が前記下部の内面から間隙を隔てて設けられ、前記上部と下部とには、両者を係合する係合手段が設けられ、前記上部と下部との先端部間は固定手段によって結合されているアンテナ。
【請求項４】
１つの直線上に相対向する２つの端部を有する本体と、
この本体内に、それぞれの先端部が前記２つの端部側に位置するように設けられている２つの第１エレメントと、
２つの第１エレメントの先端部に電気的にそれぞれの基端部が接続された状態で所定周波数の電波を送受信する２つの第２エレメントと、
各第２エレメントの基端部が、それぞれの基端部に位置するように内部に第２エレメントがそれぞれ収容され、各第２エレメントの基端部が各第１エレメントの先端部と電気的に接続される状態に、基端部がそれぞれ前記本体内に挿入されている２つのエレメントケースと、
前記本体の外部から、前記本体内にある前記２つのエレメントケースの先端部にそれぞれ挿通され、前記２つのエレメントケースそれぞれの前記直線方向に沿う移動を拘束する２つの移動拘束手段とを、
具備するアンテナ。
【請求項５】
請求項４記載のアンテナにおいて、
前記各エレメントケースの長さ方向の中途の周縁部にそれぞれ第１突状部を形成し、前記本体に前記各エレメントケースの挿入口をそれぞれ設け、これら挿入口に前記各エレメントケースをそれぞれ挿入した状態で各第１突状部に面接触する第２突状部が前記挿入口の周囲にそれぞれ形成されているアンテナ。
【請求項６】
請求項４記載のアンテナにおいて、前記各エレメントケースは、上部と下部とに分割形成され、前記各下部内には、各第２エレメントの周囲を包囲する壁部が前記各下部の内面から間隙を隔ててそれぞれ設けられ、前記上部と下部とには、両者を係合する係合手段がそれぞれ設けられ、前記各上部と各下部との先端部間は固定手段によって結合されているアンテナ。
【請求項７】
第１直線上に対向する２つの第１端部と、第１直線に交差する第２直線上に対向する２つの第２端部とを、少なくとも有する本体と、
この本体内に、それぞれの先端部が前記２つの第１端部側に位置するように第１直線に沿って設けられている２つの第１エレメントと、
２つの第１エレメントの先端部に電気的にそれぞれの基端部が接続された状態で所定周波数の電波を送受信する２つの第２エレメントと、
各第２エレメントの基端部がそれぞれの基端部に位置するように、内部に第２エレメントがそれぞれ収容され、各第２エレメントの基端部が各第１エレメントの先端部と電気的に接続される状態に、基端部がそれぞれ前記本体内に挿入されている２つの第１エレメントケースと、
前記本体の外部から、前記本体内にある前記２つのエレメントケースの先端部にそれぞれ挿通され、前記２つの第１エレメントケースそれぞれの前記直線方向に沿う移動を拘束する２つの第１移動拘束手段と、
前記本体内に、それぞれの先端部が前記２つの端部側に位置するように第２直線に沿って設けられている２つの第３エレメントと、
２つの第３エレメントの先端部に電気的にそれぞれの基端部が接続された状態で所定周波数の電波を送受信する２つの第４エレメントと、
各第４エレメントの基端部がそれぞれの基端部に位置するように、内部に第４エレメントがそれぞれ収容され、各第４エレメントの基端部が各第３エレメントの先端部と電気的に接続される状態に、基端部がそれぞれ前記本体内に挿入されている２つの第２エレメントケースと、
前記本体の外部から、前記本体内にある前記２つの第２エレメントケースの先端部にそれぞれ挿通され、前記２つのエレメントケースそれぞれの前記直線方向に沿う移動を拘束する２つの第２移動拘束手段とを、
具備するアンテナ。
【請求項８】
請求項７記載のアンテナにおいて、前記第１及び第２エレメントケースの長さ方向の中途の周縁部に第１突状部をそれぞれ形成し、前記本体に前記第１及び第２エレメントケースの挿入口をそれぞれ設け、これら挿入口に前記第１及び第２エレメントケースをそれぞれ挿入した状態で第１突状部に面接触する第２突状部が前記各挿入口の周囲に形成されているアンテナ。
【請求項９】
請求項７記載のアンテナにおいて、前記第１及び第２エレメントケースは、上部と下部とにそれぞれ分割形成され、前記各下部内には、第２及び第４エレメントの周囲を包囲する壁部が前記下部の内面から間隙を隔てて設けられ、前記上部と下部とには、両者を係合する係合手段が設けられ、前記上部と下部との先端部間は固定手段によって結合されているアンテナ。
【発明の詳細な説明】
【技術分野】
【０００１】
本発明は、アンテナに関し、特に本体からエレメントが突出しているアンテナに関する。
【背景技術】
【０００２】
従来、上記のようなアンテナの一例が特許文献１に開示されている。このアンテナは、平面形状が概略八角形状の本体内に、４本のＵＨＦ帯用の八木形アンテナが、異なる方向から到来する電波をそれぞれ受信するように設けられている。更に、本体内には、十字状にＶＨＦ帯受信用の合計４本の伸縮可能なロッドアンテナが設けられている。これらロッドアンテナは、このアンテナの設置時に、各ロッドアンテナの先端を本体から引き出して使用される。
【０００３】
【特許文献１】特開２００１−３６３２７号公報
【発明の開示】
【発明が解決しようとする課題】
【０００４】
このアンテナは、ロッドアンテナを本体内に縮めることができるので、運搬時には嵩張らない利点がある。しかし、このアンテナを設置したとき、ロッドアンテナが引き出される。これらロッドアンテナは伸縮可能とするために機械的強度が比較的小さい。そのため、例えばこのアンテナを使用する場合に、大型の鳥が載ったり、載った鳥が飛び立ったりするときに、ロッドアンテナに大きな衝撃荷重が加わり、ロッドアンテナが破損しやすくなる。この点を改善するためには、例えばロッドアンテナに代えて機械的強度の大きいモノポールアンテナを本体から十字状に突出させることも考えられる。しかし、この構成では、このアンテナが大型になり、このアンテナの運搬時にこのアンテナが嵩張るという新たな問題が発生する。
【０００５】
本発明は、運搬時に嵩張らず、設置状態では本体から突出しているアンテナ部品が充分な機械的強度を持つアンテナを提供することを目的とする。
【課題を解決するための手段】
【０００６】
本発明の一態様によるアンテナは、本体を有している。この本体内には、例えば第１の周波数帯の電波を受信する複数の第１周波数帯用アンテナを収容することもできる。この本体内に、先端部が前記本体の外方を向くように第１エレメントが設けられている。第１エレメントの先端部に第２エレメントの基端部が電気的に接続された状態で所定周波数の電波を送受信する。第１及び第２エレメントによってモノポールアンテナまたはループアンテナを構成することができる。第１及び第２エレメントによるアンテナは、例えば本体内に第１周波数帯用アンテナが収容されている場合、第１周波数帯よりも低い周波数帯の電波を送受信するように構成することが望ましい。エレメントケース内に第２エレメントが収容されている。その収容状態では、第２エレメントの基端部が、エレメントケースの基端部に位置している。第２エレメントの基端部は、第１エレメントとの接触を容易にするために、エレメントケースから露出していることが望ましい。このエレメントケースでは、第２エレメントの基端部が第１エレメントの先端部と電気的に接続されるように、エレメントケースの基端部が前記本体内に挿入されている。なお、エレメントケースのうち本体内に収容された部分は、本体の上下の内面によって挟み込まれることが望ましい。前記本体の外部から、前記本体内にある前記エレメントケースの先端部に移動拘束手段が挿通され、前記エレメントケースの前記本体の外方方向への移動を拘束している。移動拘束手段の挿通位置は、第１エレメントの先端部と第２エレメントの基端部との重なっている位置とすることが望ましいが、例えばこの重なっている位置よりも外方での位置でもよい。
【０００７】
このように構成されたアンテナでは、エレメントケースに収容された第２エレメントが、本体と分離可能であるので、運搬時にはエレメントケースを本体に取り付ける必要が無く、このアンテナは嵩張らない。また、設置時には、エレメントケースの基端部を本体に挿通し、移動拘束手段によってエレメントケースの本体の外方方向への移動が拘束されているので、エレメントケースが本体から外れることもない。また、第２エレメントは、エレメントケースに収容されているので、第２エレメントを露出させて本体に取り付けた場合と比較して機械的強度が大きく、大きな衝撃が加わっても破損することはない。
【０００８】
エレメントケースの長さ方向の中途の周縁部に第１突状部を形成することができる。この場合、前記本体に前記エレメントケースの挿入口が設けられる。さらに、この挿入口に前記エレメントケースを挿入した状態で第１突状部に面接触する第２突状部が前記挿入口の周囲に形成されている。このように構成すると、エレメントケースを本体の挿入口に挿入した状態では、第１及び第２突状部が面接触するので、この挿入口を通じて本体内に雨等の水分が侵入することを防止できる。
【０００９】
或いは、前記エレメントケースを、上部と下部とに分割形成することができる。この場合、前記下部内には、第２エレメントの周囲を包囲する壁部が前記下部の内面から間隙を隔てて設けられている。前記上部と下部とには、両者を係合する係合手段が設けられている。例えば上部側に係合爪を設け、下部側に係合爪と係合する係合孔を形成する。逆に、下部側に係合爪を設け、上部側に係合孔を形成することもできる。前記上部と下部との先端部間は固定手段によって結合されている。このように構成すると、上部と下部とが係合手段によって係合されているので、エレメントケース内に容易に第２エレメントを収容することができる。また、収容後には、固定手段によって上部と下部とが結合されているので、衝撃がエレメントケースにかかっても、上部と下部との間の係合が外れることもない。さらに、下部内に下部の内面から間隔を隔てて壁部が設けられ、この壁部の内側に第２エレメントが収容されているので、エレメントケース内に水が侵入しても、第２エレメントが直接に水に濡れることが無く、防水効果がある。
【００１０】
また、上記の態様の他に、一直線上に相対向する２つの端部を本体に設け、この本体内に、上記直線に沿って２つの第１のエレメントを、それらの先端部が対応する端部側に位置するように設け、第１のエレメントにそれぞれ対応する２つの第２エレメントを２つのエレメントケースにそれぞれ収容し、これらエレメントケースの基端部を本体内にそれぞれ挿入して、第１エレメントの先端部と第２エレメントの基端部とをそれぞれ電気的に接触させ、２つの移動拘束手段によって２つのエレメントケースをそれぞれ上記直線に沿って本体の外方側へ移動しないように拘束することもできる。また、このような２つの端部、２つの第１エレメント、２つの第２エレメント、２つのエレメントケースを１組とし、これら複数組が、それぞれの組の直線が交差するように設けることもできる。
【発明の効果】
【００１１】
以上のように、本発明によるアンテナでは、運搬時には嵩張らず、また設置状態では、本体から突出しているアンテナエレメントがエレメントケースによって保護されているので、加重が加わっても破損することが防止できる。
【発明を実施するための最良の形態】
【００１２】
本発明の１実施形態のアンテナは、複数の周波数帯、例えば２つの周波数帯の電波を受信することができるもので、例えば第１の周波数帯、具体的にはＵＨＦ帯の電波と、第１の周波数帯よりも低い周波数帯、具体的にはＶＨＦ帯の電波とを、それぞれ受信するものである。
【００１３】
このアンテナは、図２及び図３に示すように本体２を有している。本体２は、例えば合成樹脂製で、その平面形状が概略八角形状である。即ち、或る直線上に存在する１対の端部４ａ、４ｂと、上記直線と交差する、例えば直交する直線上に存在する１対の端部６ａ、６ｂと、これら端部４ａ、４ｂ、６ａ、６ｂ間を繋ぐ４つの円弧状辺部８とを、備えている。この本体２は、上下に分割形成されている。
【００１４】
図４に示すように、本体２内には、端部４ａ、４ｂを繋ぐ直線に沿ってＵＨＦ帯電波用のアンテナ、例えばダイポールアンテナ１０が配置されている。このダイポールアンテナ１０は、直線状に形成されたアンテナエレメント１０ａ、１０ｂを有している。これらアンテナエレメント１０ａ、１０ｂが、端部４ａ、４ｂの中央を繋ぐ線よりも幾分一方の側によって配置されている。これと平行に同じくＵＨＦ帯電波受信用ダイポールアンテナ１２を構成するアンテナエレメント１２ａ、１２ｂが、端部４ａ、４ｂの中央よりも幾分他方の側によって配置されている。また、本体２内には、端部６ａ、６ｂを繋ぐ直線に沿って同じくＵＨＦ帯電波受信用のアンテナ、例えばダイポールアンテナ１４を構成するアンテナエレメント１４ａ、１４ｂが、端部６ａ、６ｂの中央を繋ぐ線よりも幾分一方の側によって配置されている。これらアンテナエレメント１４ａ、１４ｂと平行にＵＨＦ帯電波受信用のアンテナ、例えばダイポールアンテナ１６を構成するアンテナエレメント１６ａ、１６ｂが配置されている。これらアンテナエレメント１０ａ、１０ｂ、１２ａ、１２ｂ、１４ａ、１４ｂ、１６ａ、１６ｂは全て同じ大きさである。
【００１５】
これらアンテナ１０、１２、１４、１６の受信信号は、本体２内部中央に設けた基板１８上で合成され、その際にレベル調整が行われ、これらアンテナ１０、１２、１４、１６の合成指向性が、所望の方向に変更される。これらアンテナ１０、１２、１４、１６の構成は、本発明の要旨と直接に関係しないので、これ以上の説明は省略する。
【００１６】
本体２のアンテナエレメント１０ａ、１２ａ間には、アンテナエレメント１０ａ、１２ａと平行にＶＨＦ帯用ダイポールアンテナ２０の第１エレメント２０ａが配置されている。その先端部が端部４ａよりも幾分内側に位置し、その基端部が基板１８の近傍に位置している。同様に、アンテナエレメント１０ｂ、１２ｂ間にも、これらと平行にダイポールアンテナ２０の第１エレメント２０ｂが配置され、その先端部が端部４ｂよりも幾分内側に、その基端部が基板１８の近傍に位置している。
【００１７】
アンテナエレメント１４ａ、１６ａの間にも、これらと平行にＶＨＦ帯用ダイポールアンテナ２２の第１エレメント２２ａが配置されている。その先端部が端部６ａよりも幾分内側に位置し、その基端部が基板１８の近傍に位置している。同様にアンテナエレメント１４ｂ、１６ｂ間にも、これらと平行にダイポールアンテナ２２の第１エレメント２２ｂが配置されている。
【００１８】
第１エレメント２０ａ、２０ｂが位置する直線と、第１エレメント２２ａ、２２ｂが位置する直線とは、交差、例えば直交している。
【００１９】
第１エレメント２０ａ、２０ｂ、２２ａ、２２ｂは、同一の大きさに形成された板状体にその長さ方向に沿って所望の長さの線路を形成したものである。これら第１エレメント２０ａ、２０ｂは、図１に示すように、本体２の内部底面から第１エレメント２０ａ、２０ｂの底面に接触するように突出している支持体２４ａ、２４ｂ、２６ａ、２６ｂによって支持されている。また、本体２の内部上面から第１エレメント２０ａ、２０ｂの上面に接触するように突出している押圧体２８ａ、２８ｂ、３０ａ、３０ｂによって押圧されている。このように第１エレメント２０ａ、２０ｂ、２２ａ、２２ｂは、支持体２４ａ、２４ｂ、２６ａ、２６ｂ、押圧体２８ａ、２８ｂ、３０ａ、３０ｂによって上下から挟持されている。図示していないが、第１エレメント２２ａ、２２ｂも同様に上下から支持体及び押圧体によって挟持されている。
【００２０】
第１エレメント２０ａの先端部よりも外側にある端部４ａには、図５（ａ）、（ｂ）に示すように、外界と連通するように挿入口３２ａが形成されている。挿通孔３２ａには、エレメントケース３４ａの基端部が挿入されている。エレメントケース３４ａは、図６（ａ）、（ｃ）に示すように帯状体であって、同図（ｂ）に示すように上部３６ａ、下部３８ａに例えば合成樹脂によって分割形成されている。下部３８ａは、その正面形状が概略倒立した台形状に形成され、上部３６ａは、正面形状が扁平な円弧状に形成されている。
【００２１】
図７に示すように、このエレメントケース３４ａ内に、第２エレメント３９ａが収容されている。第２エレメント３９ａは、エレメントケース３４ａの長さ方向に沿って配置した２つのエレメント形成手段、例えばプリント基板４０ａ、４２ａを有している。これらの上にこれらの長さ方向に沿ってそれぞれ所定の長さの線路が形成されている。これら線路を短縮コイル４４ａによって接続してある。但し、図６に示すように下部３６ｂの基端部は内側に窪んだ円弧状に形成され、プリント基板４０ａの端部が下方側で露出している。
【００２２】
プリント基板４０ａ、４２ａは、下部３８ａ内に収容されているが、プリント基板４０ａ、４２ａの周囲には、下部３８ａの内周面から一定の距離を隔てて位置する壁部４６ａが形成されている。これによって、エレメントケース３９ａ内に水が入っても、直接にプリント基板４０ａ、４２ａに水がかかることを防止している。なお、下部３８ａの内部には、多数の水抜き孔５２ａが形成されており、万一、水がエレメントケース２０ａ内に侵入しても、これら水抜き孔５２ａから排水される。
【００２３】
上部３６ａと下部３８ａとは、係合手段、例えば係合爪４８ａと係合孔５０ａとによって係合されている。例えば、図８に示すように、上部３６ａの両縁には、上部３６ａの長さ方向に沿って間隔をあけて、下部３８ａ側に向かう係合爪４８ａが形成されている。下部３６ａの側壁には、下部３８ａの内部で各係合爪４８ａと係合する係合孔５０ａが、各係合爪４８ａに対応する位置に形成されている。各係合爪４８ａが係合孔５０ａに係合することによって、上部３６ａと下部３８ａとが結合されている。更に、エレメントケース３４ａの上部３６ａと下部３８ａとは、それらの先端部において固定手段、例えばねじ５４ａによって結合されている（図１参照）。これによって、上部３６ａと下部３８ａとに衝撃荷重が加わっても、上部３６ａと下部３８ａとの係合が外れることはない。
【００２４】
このエレメントケース３４ａの基端部は、挿入口３２ａに挿入され、図９に拡大して示すように、プリント基板４０ａの基端部が、第１エレメント２０ａの先端部と本体２の底面から突出させたボス５６ａ上で面接触している。この面接触によって、第１エレメント２０ａの先端部とプリント基板４０ａの基端部とが電気的に接続されている。このボス５６ａと、第１エレメント２０ａの先端部とを本体２の下方から挿入された移動拘束手段、例えばねじ５８ａが貫通し、ねじ５８ａがプリント基板４０ａの基端部のねじ孔４５ａに螺合し、さらにエレメントケース３４ａの上部３６ａを貫通している。これによって、エレメントケース３４ａが挿通孔３２ａから抜けることを防止している。なお、この挿入状態において、エレメントケース３４ａの上部３６ａの先端部は、本体２の上部の内面に接触している。第１エレメント２０ａと第２エレメント２０ｂとの電気的接続は、高価なコネクタ等を使用せずに、ねじ５８ａによる機械的な接続と同時に行われ、安価な電気的接続を実現している。
【００２５】
エレメントケース３４ａの基端部が挿入口３２ａに挿入された状態において、エレメントケース３４ａの上部３６ａ、下部３８ａの挿入口３２ａに対応する位置の外周面には、図５（ａ）、（ｂ）に示すように、挿入口３２ａに合致するように外方に突出した突起６０ａ、６２ａが形成されている。また、挿入口３２ａの周面には、これら突起６０ａ、６２ａに側面が面接触し、かつ先端が上部３６ａ、下部３８ａの外周面に接触するように突起６４ａが図５（ｂ）に示すように形成されている。このように突起６０ａ、６２ａと突起６４ａとが面接触しているので、この挿入口３２ａから本体２内への雨水が侵入しにくい。
【００２６】
なお、本体２内に水が侵入した場合には、図３に示すように、本体２には、多数の水抜き孔５９が形成されているので、これら水抜き孔５９から水は排出される。また、ねじ５８ａの挿入位置で、エレメントケース３４ａの上部３６ａがボス５６ａと本体２の上部の内面とによって挟まれ、かつこのねじ５８ａの挿入位置から離れた挿入口３２ａの位置で突起６４ａによってエレメントケース３４ａの上部３６ａ、下部３８ａが押さえられているので、エレメントケース３４ａが上下動することはない。
【００２７】
端部４ｂにも、同様に挿入口３２ｂが形成され、エレメントケース３４ａと同一に構成され、内部に第２エレメント３９ａと同一に構成された第２エレメント３９ｂが配置され、同様に挿入口３２ｂにエレメントケース３４ｂの基端部が挿入され、ねじ５８ｂによって固定されている。これによって、第１のエレメント２０ａ、２０ｂ、第２エレメント３９ａ、３９ｂによって、ＶＨＦ帯用の１つのダイポールアンテナが構成されている。
【００２８】
同様に、端部６ａ、６ｂにも挿入口３２ａ、３２ｂと同じ挿入口６６ａ、６６ｂが形成され、エレメントケース３４ａ、３４ｂと同一の構成であるエレメントケース６８ａ、６８ｂが挿入口６６ａ、６６ｂに挿入され、ねじ５８ａと同様にねじによって移動が拘束されている。エレメントケース６８ａ、６８ｂ内には、第２エレメント３９ａ、３９ｂと同一の構成の第２エレメント７０ａ、７０ｂが配置されている。これら第２エレメント７０ａ、７０ｂと第１エレメント２２ａ、２２ｂによって、第１エレメント２０ａ、２０ｂ、第２エレメント３９ａ、３９ｂと同様なＶＨＦ帯用ダイポールアンテナが構成されている。
【００２９】
これら直交するように配置された２組のダイポールアンテナの受信信号のレベルを基板１８上に形成した回路において適正に調整することによって所望の方向に、これらアンテナの合成指向性を向けている。
【００３０】
このように構成されたアンテナでは、各エレメントケース３４ａ、３４ｂ、６８ａ、６８ｂが本体２に対して直脱自在であるので、本体２からエレメントケース３４ａ、３４ｂ、６８ａ、６８ｂを外して運搬することができるので、運搬時には、このアンテナは嵩張らない。また、エレメントケース３４ａ、３４ｂ、６８ａ、６８ｂが本体２に着脱自在であるので、内部に収容されている第２エレメントの長さを異ならせたものを予め準備しておけば、ＶＨＦ帯と異なる周波数帯の電波を受信することも可能となる。
【００３１】
更に、本体２に各エレメントケース３４ａ、３４ｂ、６８ａ、６８ｂを取り付けた状態では、本体２から突出している第２エレメント３９ａ、３９ｂ、７０ａ、７０ｂは、エレメントケース３４ａ、３４ｂ、６８ａ、６８ｂ内に収容されているので、第２エレメント３９ａ、３９ｂ、７０ａ、７０ｂが露出して本体２から突出している場合よりも、破損しにくい。特に、エレメントケース３４ａ、３４ｂ、６８ａ、６８ｂは、それらの基端部で本体２の上面とボスとによって挟持され、かつ挿入口３２ａ、３２ｂ、６６ａ、６６ｂにおいて挿入口３２ａ、３２ｂ、６６ａ、６６ｂの周縁部に形成した突起によって周囲から挟持されているので、エレメントケース３４ａ、３４ｂ、６８ａ、６８ｂの先端部側に衝撃荷重が加わっても、エレメントケース３４ａ、３４ｂ、６８ａ、６８ｂが破損しにくい。
【００３２】
さらに、これらエレメントケース３４ａ、３４ｂ、６８ａ、６８ｂの挿入口３２ａ、３２ｂ、６６ａ、６６ｂに対応する部分には、挿入口３２ａ、３２ｂ、６６ａ、６６ｂの突起と面接触する突起が形成されているので、エレメントケース３４ａ、３４ｂ、６８ａ、６８ｂを着脱自在に形成しているにも拘わらず、本体２内に雨水等が侵入しにくい。また、各エレメントケース３４ａ、３４ｂ、６８ａ、６８ｂの下部は、倒立させた台形状の正面形状を持つので、雨水が内部に侵入しにくい。また、エレメントケース３４ａ、３４ｂ、６８ａ、６８ｂの内部では、エレメントケースの内面と、第２エレメント３９ａ、３９ｂ、７０ａ、７０ｂとの間に、壁部が設けられているので、第２エレメント３９ａ、３９ｂ、７０ａ、７０ｂが侵入した雨水に接触しにくい。たとえ雨水が浸入したとしても、水抜き孔が形成されているので、侵入した雨水は速やかに排出される。
【００３３】
上記の実施の形態では、ＶＨＦ帯のアンテナとしてダイポールアンテナを使用したが、これに限ったものではなく、例えば折り返しダイポールアンテナを使用することもできる。この場合、折り返しダイポールアンテナの両折り返し部分付近が、本体２に着脱される構成となる。上記の実施の形態では、エレメントケース３４ａの上部３６ａに係合爪４８ａを形成し、下部３８ａに係合孔５０ａを形成したが、逆に上部３６ａに係合孔５０ａを形成し、下部３８ａに係合爪４８ａを形成することもできる。
【図面の簡単な説明】
【００３４】
【図１】本発明の１実施形態のアンテナの中央縦断面正面図である。
【図２】図１のアンテナの上面側から見た斜視図である。
【図３】図１のアンテナの下面側から見た斜視図である。
【図４】図１のアンテナの中央横断面平面図である。
【図５】図１のアンテナの本体へ１つのエレメントケースとを取り付ける状態の斜視図及び当該斜視図の部分拡大図である。
【図６】図１のアンテナにおいて使用するエレメントケースの平面図、底面図及び正面図である。
【図７】図７のエレメントケースの上面側から見た分解図である。
【図８】図７のエレメントケースの下面側から見た分解図である。
【図９】図１のアンテナの部分省略部分破断正面図である。
【符号の説明】
【００３５】
２  本体
２０ａ、２０ｂ  第１エレメント
３４ａ  ３４ｂ  エレメントケース
４０ａ、４０ｂ  第２エレメント
５８ａ、５８ｂ  ねじ
【図１】
2005354265.tif 000003
【図２】
2005354265.tif 000004
【図３】
2005354265.tif 000005
【図４】
2005354265.tif 000006
【図５】
2005354265.tif 000007
【図６】
2005354265.tif 000008
【図７】
2005354265.tif 000009
【図８】
2005354265.tif 000010
【図９】
2005354265.tif 000011